(57)【要約】【課題】電池容量を増大させること。【解決手段】電極組立体とケースとを絶縁する絶縁シート４０は、第１絶縁部４１、一対の第２絶縁部４２、及び一対の第３絶縁部を有する。第３絶縁部は、第１パーツ４４と、第１パーツ４４を挟んで位置する一対の第２パーツ４５と、を有する。第２パーツ４５において、第２絶縁部４２と第２パーツ４５との境界線Ｌ１と第１パーツ４４と第２パーツ４５との境界線Ｌ２との交点Ｐ１から斜めに延びる直線を仮想線Ｌ３と設定する。第２パーツ４５は、境界線Ｌ２、仮想線Ｌ３、及び絶縁シート４０の縁部４０ｆで囲まれた部分に切れ込み部４６を有する。組み立てられた絶縁シート４０は、第２パーツ４５の第１余剰部５０同士が重なった重なり部を有する。第１パーツ４４は第２パーツ４５に重なっている。第２パーツ４５の第２余剰部５１は、第２パーツ４５のほかの部分と重なることなく展開される。【選択図】図４
2020038803.tif 000002
【特許請求の範囲】
【請求項１】
複数の電極による層状構造を有する電極組立体と、前記電極組立体を収容するケースと、前記電極組立体と前記ケースとを絶縁する絶縁シートと、を備える蓄電装置であって、
前記絶縁シートは、前記電極組立体における第１端面と前記ケースとの間に配置される第１絶縁部、前記電極組立体における前記第１端面に繋がる一対の第２端面と前記ケースとの間に配置される一対の第２絶縁部、及び前記電極組立体における前記第１端面及び前記第２端面に繋がる一対の第３端面と前記ケースとの間に配置される一対の第３絶縁部を有し、
前記絶縁シートが展開されている状態において、
一対の前記第２絶縁部は、前記第１絶縁部の縁部のうちで対向する一対の第１縁部からそれぞれ延設され、
一対の前記第３絶縁部のうちの一方の前記第３絶縁部は、前記第１絶縁部の縁部のうちで一対の前記第１縁部と直交した第２縁部から延設される第１パーツと、一対の前記第２絶縁部の縁部のうちで一対の前記第１縁部と直交した第３縁部から延設されるとともに前記第１パーツを挟んで位置する一対の第２パーツと、を有し、
前記第２パーツにおいて、前記第２絶縁部と前記第２パーツとの境界線と前記第１パーツと前記第２パーツとの境界線との交点から延びるとともに、前記第２絶縁部と前記第２パーツとの境界線に対して斜めに延びる仮想線を設定するとき、
一対の前記第２パーツのうちの一方の前記第２パーツは、前記第１パーツと前記第２パーツとの境界線、前記仮想線、及び前記第３縁部と対向する前記絶縁シートの縁部である第４縁部で囲まれた部分において、前記第４縁部と前記仮想線とにわたって前記第２パーツを切り込んだ切れ込み部を有し、
前記絶縁シートは、前記第１縁部、前記第２縁部、及び前記第３縁部に沿って折り曲げられて組み立てられており、
前記絶縁シートが組み立てられている状態において、
前記絶縁シートは、一対の前記第２パーツのうち、前記第３縁部と前記仮想線と前記絶縁シートの縁部とで囲まれた部分同士が重なった重なり部を有し、
前記第１パーツは第２パーツに重なっており、
一対の前記第２パーツのうちの一方の前記第２パーツにおいて、前記仮想線、前記切れ込み部、及び前記第４縁部で囲まれた部分が、一方の前記第２パーツのほかの部分と重なることなく展開されていることを特徴とする蓄電装置。
【請求項２】
一対の前記第２パーツの双方が前記切れ込み部を有している請求項１に記載の蓄電装置。
【請求項３】
一対の前記第３絶縁部の双方が前記第１パーツ及び一対の前記第２パーツを有し、
一対の前記第３絶縁部のそれぞれにおいて、一対の前記第２パーツの双方が前記切れ込み部を有している請求項２に記載の蓄電装置。
【請求項４】
前記第２パーツのうちで前記第１パーツが重なっている部分と前記第１パーツとが溶着された溶着部を有する請求項１〜請求項３のいずれか一項に記載の蓄電装置。
【請求項５】
複数の電極による層状構造を有する電極組立体と、前記電極組立体を収容するケースと、前記電極組立体と前記ケースとを絶縁する絶縁シートと、を備える蓄電装置の製造方法であって、
前記絶縁シートは、前記電極組立体における第１端面と前記ケースとの間に配置され得る第１絶縁部、前記電極組立体における前記第１端面に繋がる一対の第２端面と前記ケースとの間に配置され得る一対の第２絶縁部、及び前記電極組立体における前記第１端面及び前記第２端面に繋がる一対の第３端面と前記ケースとの間に配置され得る一対の第３絶縁部を有し、
前記絶縁シートが展開されている状態において、
一対の前記第２絶縁部は、前記第１絶縁部の縁部のうちで対向する一対の第１縁部からそれぞれ延設され、
一対の前記第３絶縁部のうちの一方の前記第３絶縁部は、前記第１絶縁部の縁部のうちで一対の前記第１縁部と直交した第２縁部から延設される第１パーツと、一対の前記第２絶縁部の縁部のうちで一対の前記第１縁部と直交した第３縁部から延設されるとともに前記第１パーツを挟んで位置する一対の第２パーツと、を有し、
前記第２パーツにおいて、前記第２絶縁部と前記第２パーツとの境界線と前記第１パーツと前記第２パーツとの境界線との交点から延びるとともに、前記第２絶縁部と前記第２パーツとの境界線に対して斜めに延びる仮想線を設定するとき、
一対の前記第２パーツのうちの一方の前記第２パーツであって、前記第１パーツと前記第２パーツとの境界線、前記仮想線、及び前記第３縁部と対向する前記絶縁シートの縁部である第４縁部で囲まれた部分において、前記第４縁部と前記仮想線とにわたって前記第２パーツを切り込んだ切れ込み部を形成し、
前記絶縁シートを前記第１縁部及び前記第３縁部に沿って折り曲げることにより、一対の前記第２パーツのうち、前記第３縁部と前記仮想線と前記絶縁シートの縁部とで囲まれた部分同士を重ねて重なり部を形成し、
前記絶縁シートを前記第２縁部に沿って折り曲げることにより、前記第２パーツに前記第１パーツを重ねるとともに、一対の前記第２パーツのうちの一方の前記第２パーツにおいて、前記仮想線、前記切れ込み部、及び前記第４縁部で囲まれた部分が、一方の前記第２パーツのほかの部分と重なることなく展開されるように前記絶縁シートを組み立てることを特徴とする蓄電装置の製造方法。
【発明の詳細な説明】
【技術分野】
【０００１】
本発明は、蓄電装置及び蓄電装置の製造方法に関する。
【背景技術】
【０００２】
ＥＶ（Electric Vehicle）やＰＨＶ（Plug in Hybrid Vehicle）などの車両には、走行用モータへの供給電力を蓄える蓄電装置としての二次電池が搭載されている。二次電池は、例えば複数の電極による層状構造を有する電極組立体と、当該電極組立体を収容するケースとを備えている。また、電極組立体の各端面とケースとの間に介在するように絶縁シートを設けることで、電極組立体とケースとを絶縁させる場合がある。
【０００３】
例えば特許文献１に記載の二次電池に設けられた絶縁シートは、第１絶縁部、一対の第２絶縁部、及び一対の第３絶縁部を有している。第１絶縁部は、電極組立体における第１端面とケースとの間に配置される。一対の第２絶縁部は、電極組立体における第１端面に繋がる一対の第２端面とケースとの間に配置される。一対の第３絶縁部は、電極組立体における第１端面及び第２端面に繋がる一対の第３端面とケースとの間に配置される。また、一対の第３絶縁部は、第１絶縁部の縁部から延設される第１パーツと、一対の第２絶縁部の縁部から延設されるとともに第１パーツを挟んで位置する一対の第２パーツと、を有している。そして、絶縁シートが組み立てられている状態において、絶縁シートは一対の第２パーツ同士が重なった重なり部を有し、第１パーツは第２パーツに重なっている。絶縁シートにおいて、重なり部と第１パーツとが重なった部分では、絶縁シートが最大で５層となる。
【先行技術文献】
【特許文献】
【０００４】
【特許文献１】特開２０１５−２２８３５９号公報
【発明の概要】
【発明が解決しようとする課題】
【０００５】
ところで、ケースと電極組立体との間隙は、上記の絶縁シートの最大重なり分を考慮して大きさが設定される。しかしながら、二次電池の電池容量を増大させるためには、ケース内での電極組立体の配置スペースをより大きくすることが望ましく、その点で特許文献１に記載の二次電池では改善の余地があった。
【０００６】
本発明の目的は、電池容量を増大できる蓄電装置、及び蓄電装置の製造方法を提供することにある。
【課題を解決するための手段】
【０００７】
上記課題を解決する蓄電装置は、複数の電極による層状構造を有する電極組立体と、前記電極組立体を収容するケースと、前記電極組立体と前記ケースとを絶縁する絶縁シートと、を備える蓄電装置であって、前記絶縁シートは、前記電極組立体における第１端面と前記ケースとの間に配置される第１絶縁部、前記電極組立体における前記第１端面に繋がる一対の第２端面と前記ケースとの間に配置される一対の第２絶縁部、及び前記電極組立体における前記第１端面及び前記第２端面に繋がる一対の第３端面と前記ケースとの間に配置される一対の第３絶縁部を有し、前記絶縁シートが展開されている状態において、一対の前記第２絶縁部は、前記第１絶縁部の縁部のうちで対向する一対の第１縁部からそれぞれ延設され、一対の前記第３絶縁部のうちの一方の前記第３絶縁部は、前記第１絶縁部の縁部のうちで一対の前記第１縁部と直交した第２縁部から延設される第１パーツと、一対の前記第２絶縁部の縁部のうちで一対の前記第１縁部と直交した第３縁部から延設されるとともに前記第１パーツを挟んで位置する一対の第２パーツと、を有し、前記第２パーツにおいて、前記第２絶縁部と前記第２パーツとの境界線と前記第１パーツと前記第２パーツとの境界線との交点から延びるとともに、前記第２絶縁部と前記第２パーツとの境界線に対して斜めに延びる仮想線を設定するとき、一対の前記第２パーツのうちの一方の前記第２パーツは、前記第１パーツと前記第２パーツとの境界線、前記仮想線、及び前記第３縁部と対向する前記絶縁シートの縁部である第４縁部で囲まれた部分において、前記第４縁部と前記仮想線とにわたって前記第２パーツを切り込んだ切れ込み部を有し、前記絶縁シートは、前記第１縁部、前記第２縁部、及び前記第３縁部に沿って折り曲げられて組み立てられており、前記絶縁シートが組み立てられている状態において、前記絶縁シートは、一対の前記第２パーツのうち、前記第３縁部と前記仮想線と前記絶縁シートの縁部とで囲まれた部分同士が重なった重なり部を有し、前記第１パーツは第２パーツに重なっており、一対の前記第２パーツのうちの一方の前記第２パーツにおいて、前記仮想線、前記切れ込み部、及び前記第４縁部で囲まれた部分が、一方の前記第２パーツのほかの部分と重なることなく展開されていることを特徴とする。
【０００８】
上記課題を解決する蓄電装置の製造方法は、複数の電極による層状構造を有する電極組立体と、前記電極組立体を収容するケースと、前記電極組立体と前記ケースとを絶縁する絶縁シートと、を備える蓄電装置の製造方法であって、前記絶縁シートは、前記電極組立体における第１端面と前記ケースとの間に配置され得る第１絶縁部、前記電極組立体における前記第１端面に繋がる一対の第２端面と前記ケースとの間に配置され得る一対の第２絶縁部、及び前記電極組立体における前記第１端面及び前記第２端面に繋がる一対の第３端面と前記ケースとの間に配置され得る一対の第３絶縁部を有し、前記絶縁シートが展開されている状態において、一対の前記第２絶縁部は、前記第１絶縁部の縁部のうちで対向する一対の第１縁部からそれぞれ延設され、一対の前記第３絶縁部のうちの一方の前記第３絶縁部は、前記第１絶縁部の縁部のうちで一対の前記第１縁部と直交した第２縁部から延設される第１パーツと、一対の前記第２絶縁部の縁部のうちで一対の前記第１縁部と直交した第３縁部から延設されるとともに前記第１パーツを挟んで位置する一対の第２パーツと、を有し、前記第２パーツにおいて、前記第２絶縁部と前記第２パーツとの境界線と前記第１パーツと前記第２パーツとの境界線との交点から延びるとともに、前記第２絶縁部と前記第２パーツとの境界線に対して斜めに延びる仮想線を設定するとき、一対の前記第２パーツのうちの一方の前記第２パーツであって、前記第１パーツと前記第２パーツとの境界線、前記仮想線、及び前記第３縁部と対向する前記絶縁シートの縁部である第４縁部で囲まれた部分において、前記第４縁部と前記仮想線とにわたって前記第２パーツを切り込んだ切れ込み部を形成し、前記絶縁シートを前記第１縁部及び前記第３縁部に沿って折り曲げることにより、一対の前記第２パーツのうち、前記第３縁部と前記仮想線と前記絶縁シートの縁部とで囲まれた部分同士を重ねて重なり部を形成し、前記絶縁シートを前記第２縁部に沿って折り曲げることにより、前記第２パーツに前記第１パーツを重ねるとともに、一対の前記第２パーツのうちの一方の前記第２パーツにおいて、前記仮想線、前記切れ込み部、及び前記第４縁部で囲まれた部分が、一方の前記第２パーツのほかの部分と重なることなく展開されるように前記絶縁シートを組み立てることを特徴とする。
【０００９】
上記の各構成によれば、切れ込み部によって第２パーツを分けることで、従来折り込まれて重なり部に重なっていた部分を折りたたまず第１絶縁部の第２縁部側に展開したまま絶縁シートを折り曲げることができるため、絶縁シートの重なり数を減らすことができる。一対の第２パーツのうちの一方の第２パーツにおいて、その第２パーツにおける重なり部以外の部分が重なり部と重ならないことになる。そのため、切れ込み部を有する第２パーツを含む第３絶縁部においては、絶縁シートの重なりが最大で４層となる。したがって、絶縁シートの最大重なり分が少なくなるだけケースと電極組立体との間隙を小さく設定できるため、蓄電装置の電池容量を増大できる。
【００１０】
蓄電装置について、一対の前記第２パーツの双方が前記切れ込み部を有していることが好ましい。
上記構成によれば、一対の第２パーツの双方において、第２パーツにおける重なり部以外の部分が重なり部と重ならないことになる。そのため、切れ込み部を有する第２パーツを含む第３絶縁部においては、絶縁シートの重なりが最大で３層となる。したがって、より絶縁シートの最大重なり分を少なくできるため、蓄電装置の電池容量をより増大できる。
【００１１】
蓄電装置について、一対の前記第３絶縁部の双方が前記第１パーツ及び一対の前記第２パーツを有し、一対の前記第３絶縁部のそれぞれにおいて、一対の前記第２パーツの双方が前記切れ込み部を有していることが好ましい。
【００１２】
上記構成によれば、一対の第３絶縁部の双方における一対の第２パーツにおいて、第２パーツにおける重なり部以外の部分が重なり部と重ならないことになる。そのため、一対の第３絶縁部の双方において、絶縁シートの重なりが最大で３層となる。したがって、より絶縁シートの最大重なり分を少なくできるため、蓄電装置の電池容量をより増大できる。
【００１３】
蓄電装置について、前記第２パーツのうちで前記第１パーツが重なっている部分と前記第１パーツとが溶着された溶着部を有することが好ましい。
組み立てた絶縁シートを固定する方法として、例えば、折り曲げられた絶縁シートを接着テープで貼り付ける方法が挙げられる。こうした場合では、絶縁シートの最大重なり分に加えて、接着テープの厚みも考慮して、ケースと電極組立体との間隙を設定する必要がある。上記構成によれば、溶着によって絶縁シートを固定しているため、ケースと電極組立体との間隙に接着テープの厚みを考慮する必要がなくなり、その分だけ蓄電装置の電池容量を増大できる。
【発明の効果】
【００１４】
この発明によれば、電池容量を増大できる。
【図面の簡単な説明】
【００１５】
【図１】実施形態における二次電池の分解斜視図。
【図２】二次電池の斜視図。
【図３】電極組立体の分解斜視図。
【図４】絶縁シートの展開形状を示す正面図及び一部拡大図。
【図５】絶縁シートの折り曲げ態様を示す斜視図。
【図６】組み立てられた状態の絶縁シートにおいて第３絶縁部を部分的に示す正面図。
【図７】ほかの実施形態における切れ込み部の形状を模式的に示す図。
【図８】ほかの実施形態における切れ込み部の形状を模式的に示す図。
【発明を実施するための形態】
【００１６】
以下、蓄電装置を二次電池に具体化した一実施形態について図１〜図６を用いて説明する。
図１及び図２に示すように、蓄電装置としての二次電池１０は、矩形箱状のケース１１と、ケース１１に収容された電極組立体３０とを備える。ケース１１は、直方体状のケース本体２０と、ケース本体２０の開口部２０ａを閉塞する矩形平板状の蓋２５とを有する。ケース本体２０は、矩形板状の底壁２１と、底壁２１の一対の長側縁部から立設された長側壁２２と、底壁２１の一対の短側縁部から立設された短側壁２３とを有する。ケース１１を構成するケース本体２０と蓋２５は、何れも金属製（例えば、ステンレスやアルミニウム）である。また、本実施形態の二次電池１０は、その外観が角型をなす角型電池である。また、本実施形態の二次電池１０は、リチウムイオン電池である。
【００１７】
図３に示すように、電極組立体３０は、複数の正極電極３１と負極電極３５とセパレータ３９とを備える。電極組立体３０は、正極電極３１と負極電極３５との間にセパレータ３９を介在させ、かつ相互に絶縁した状態で積層した層状構造を有する。正極電極３１と負極電極３５が積層された方向を積層方向Ｘとする。
【００１８】
正極電極３１は、矩形シート状の正極金属箔（例えばアルミニウム箔）３２と、正極金属箔３２の両面に存在する正極活物質層３３とを有する。正極電極３１は、一対の長辺に沿う縁部のうちの一方の縁部に第１縁部３１ａを備え、第１縁部３１ａの対辺となる他方の縁部に第２縁部３１ｂを備える。さらに、正極電極３１は、第１縁部３１ａと第２縁部３１ｂとを繋ぐ一対の短辺に沿う縁部に第３縁部３１ｃを備える。正極電極３１は、第２縁部３１ｂの一部から突出した矩形状の正極タブ３４を有する。正極タブ３４は、正極活物質層３３が存在せず、正極金属箔３２そのもので構成されている。
【００１９】
負極電極３５は、矩形シート状の負極金属箔（例えば銅箔）３６と、負極金属箔３６の両面に存在する負極活物質層３７とを有する。負極電極３５は、一対の長辺に沿う縁部のうちの一方の縁部に第１縁部３５ａを備え、第１縁部３５ａの対辺となる他方の縁部に第２縁部３５ｂを備える。さらに、負極電極３５は、第１縁部３５ａと第２縁部３５ｂとを繋ぐ一対の短辺に沿う縁部に第３縁部３５ｃを備える。負極電極３５は、第２縁部３５ｂの一部から突出した矩形状の負極タブ３８を有する。負極タブ３８は、負極活物質層３７が存在せず、負極金属箔３６そのもので構成されている。
【００２０】
セパレータ３９は、矩形シート状の絶縁性材料からなる。セパレータ３９は、正極電極３１と負極電極３５とを絶縁する。セパレータ３９は、一対の長辺に沿う縁部のうちの一方の縁部に第１縁部３９ａを備え、第１縁部３９ａの対辺となる他方の縁部に第２縁部３９ｂを備える。また、セパレータ３９は、第１縁部３９ａと第２縁部３９ｂとを繋ぐ一対の短辺に沿う縁部に第３縁部３９ｃを備える。
【００２１】
負極電極３５の第１縁部３５ａの長さは、正極電極３１の第１縁部３１ａの長さより長く、負極電極３５の第２縁部３５ｂの長さは、正極電極３１の第２縁部３１ｂの長さより長い。負極電極３５の第３縁部３５ｃの長さは、正極電極３１の第３縁部３１ｃの長さより長い。つまり、負極電極３５の外形は、正極電極３１の外形より一回り大きい。また、セパレータ３９の第１縁部３９ａの長さは、負極電極３５の第１縁部３５ａの長さと等しく、セパレータ３９の第２縁部３９ｂの長さは、負極電極３５の第２縁部３５ｂの長さと等しい。セパレータ３９の第３縁部３９ｃの長さは、負極電極３５の第３縁部３５ｃの長さと等しい。つまり、セパレータ３９の外形は、正極電極３１の外形より一回り大きく、負極電極３５の外形と等しい大きさである。
【００２２】
図１に示すように、各正極電極３１は、それぞれの正極タブ３４が積層方向Ｘに沿って列状に配置されるように積層される。同様に、各負極電極３５は、それぞれの負極タブ３８が、正極タブ３４と重ならない位置で積層方向Ｘに沿って列状に配置されるように積層される。電極組立体３０は、各正極タブ３４が積層された正極タブ群３４ａと、各負極タブ３８が積層された負極タブ群３８ａとを備える。
【００２３】
電極組立体３０は、正極タブ群３４ａ及び負極タブ群３８ａが存在する端面にタブ側端面３０ｔを備える。タブ側端面３０ｔは、負極電極３５の第２縁部３５ｂ及びセパレータ３９の第２縁部３９ｂが積層されて構成されている。また、電極組立体３０は、タブ側端面３０ｔと反対側の端面に第１端面３０ａを備える。第１端面３０ａは、負極電極３５の第１縁部３５ａ及びセパレータ３９の第１縁部３９ａが積層されて構成されている。また、電極組立体３０は、積層方向Ｘの端面に一対の第２端面３０ｂを備える。第２端面３０ｂは、負極電極３５等、積層方向Ｘにおける電極組立体３０の両端に位置する電極で構成されている。また、電極組立体３０は、第１端面３０ａ、第２端面３０ｂ、及びタブ側端面３０ｔと直交する端面に一対の第３端面３０ｃを備える。第３端面３０ｃは、第１端面３０ａ、第２端面３０ｂ、及びタブ側端面３０ｔに繋がっているとともに、負極電極３５の第３縁部３５ｃ及びセパレータ３９の第３縁部３９ｃが積層されて構成されている。なお、第１端面３０ａとタブ側端面３０ｔとが対をなす方向を高さ方向Ｚとし、積層方向Ｘ及び高さ方向Ｚと直交する方向を幅方向Ｙとする。
【００２４】
二次電池１０は、電極組立体３０から電気を取り出すための正極端子２６及び負極端子２７を備える。正極端子２６及び負極端子２７は、蓋２５の貫通孔２５ｈを貫通してケース１１外に突出する。正極端子２６及び負極端子２７には、蓋２５と絶縁するためのリング状の絶縁リング２８がそれぞれ取り付けられている。正極タブ群３４ａは、正極端子２６と電気的に接続され、負極タブ群３８ａは、負極端子２７と電気的に接続されている。
【００２５】
二次電池１０は、電極組立体３０とケース１１とを絶縁する絶縁シート４０を備える。絶縁シート４０は、絶縁性材料であって、例えば、ポリエチレン（ＰＥ）、ポリプロピレン（ＰＰ）、ポリフェニレンサルファイド（ＰＰＳ）などからなる。また、絶縁シート４０は、電極組立体３０のタブ側端面３０ｔを除く５面、すなわち第１端面３０ａ、第２端面３０ｂ、及び第３端面３０ｃを覆っている。
【００２６】
絶縁シート４０は、第１絶縁部４１、一対の第２絶縁部４２、及び一対の第３絶縁部４３を有している。第１絶縁部４１は、電極組立体３０における第１端面３０ａとケース本体２０の底壁２１との間に配置される。これにより、電極組立体３０の第１端面３０ａとケース本体２０の底壁２１とが絶縁されている。一対の第２絶縁部４２は、電極組立体３０における一対の第２端面３０ｂとケース本体２０の長側壁２２との間に配置される。これにより、電極組立体３０の第２端面３０ｂとケース本体２０の長側壁２２とが絶縁されている。一対の第３絶縁部４３は、電極組立体３０における一対の第３端面３０ｃとケース本体２０の短側壁２３との間に配置される。これにより、電極組立体３０の第３端面３０ｃとケース本体２０の短側壁２３とが絶縁されている。
【００２７】
図４に、折り曲げて電極組立体３０を覆う前の状態の絶縁シート４０を展開図として示す。なお、説明の便宜上、図４における上、下、左、右を、以下では単にそれぞれ上、下、左、右という。図４に示すように、第１絶縁部４１は矩形状であり、第１絶縁部４１の左右方向の長さが電極組立体３０の幅方向Ｙの長さと同程度である。また、第１絶縁部４１の上下方向の長さは電極組立体３０の積層方向Ｘの長さと同程度である。このため、第１絶縁部４１の大きさは、電極組立体３０の第１端面３０ａと同程度の大きさである。なお、図１に示すように、電極組立体３０の幅方向Ｙの長さは、電極組立体３０における一方の第３端面３０ｃと他方の第３端面３０ｃとの間の長さである。電極組立体３０の積層方向Ｘの長さは、電極組立体３０における一方の第２端面３０ｂと他方の第２端面３０ｂとの間の長さである。
【００２８】
図４に示すように、一対の第２絶縁部４２は矩形状であり、第１絶縁部４１における一対の長縁部４１ａから延設されている。一対の第２絶縁部４２は、第１絶縁部４１を挟んで上下に位置している。また、一対の第２絶縁部４２の左右方向の長さは、第１絶縁部４１の左右方向の長さと同様に、電極組立体３０の幅方向Ｙの長さと同程度である。一対の第２絶縁部４２の上下方向の長さは電極組立体３０の高さ方向Ｚの長さと同程度である。このため、一対の第２絶縁部４２の大きさは、電極組立体３０の第２端面３０ｂと同程度の大きさである。なお、図１に示すように、電極組立体３０の高さ方向Ｚの長さは、電極組立体３０における第１端面３０ａとタブ側端面３０ｔとの間の長さである。
【００２９】
一対の第３絶縁部４３は矩形状であり、第１絶縁部４１及び第２絶縁部４２を挟んで位置している。また、一対の第３絶縁部４３の双方が、矩形状の第１パーツ４４と、一対の第２パーツ４５と、を有している。図４に示すように、第１パーツ４４は、第１絶縁部４１における一対の長縁部４１ａと直交した一対の短縁部４１ｂから延設されている。一方の第１パーツ４４が第１絶縁部４１の右側にて短縁部４１ｂから延設されており、他方の第１パーツ４４が第１絶縁部４１の左側にて短縁部４１ｂから延設されている。一対の第２パーツ４５は、一対の第２絶縁部４２の短辺に位置する縁部であって、第１絶縁部４１における一対の長縁部４１ａと直交した短縁部４２ａから延設されている。一方の第３絶縁部４３を構成する一対の第２パーツ４５が第２絶縁部４２の右側にて短縁部４２ａから延設されており、他方の第３絶縁部４３を構成する一対の第２パーツ４５が第２絶縁部４２の左側にて短縁部４２ａから延設されている。また、各第３絶縁部４３において、一対の第２パーツ４５のうちで第１パーツ４４の上側に位置する第２パーツ４５は、一対の第２絶縁部４２のうちで第１絶縁部４１の上側に位置する第２絶縁部４２の短縁部４２ａから延設されている。一対の第２パーツ４５のうちで第１パーツ４４の下側に位置する第２パーツ４５は、一対の第２絶縁部４２のうちで第１絶縁部４１の下側に位置する第２絶縁部４２の短縁部４２ａから延設されている。なお、本実施形態において、長縁部４１ａが第１縁部に相当し、短縁部４１ｂが第２縁部に相当し、短縁部４２ａが第３縁部に相当する。
【００３０】
各第３絶縁部４３を構成するパーツについて、第１パーツ４４の上下方向の長さは、第１絶縁部４１の上下方向の長さと同様に、電極組立体３０の積層方向Ｘの長さと同程度である。一対の第２パーツ４５の上下方向の長さは、第２絶縁部４２の上下方向の長さと同様に、電極組立体３０の高さ方向Ｚの長さと同程度である。また、一対の第２パーツ４５の左右方向の長さは、電極組立体３０の積層方向Ｘの長さの半分の長さより長く、かつ電極組立体３０の積層方向Ｘの長さより短くなっている。
【００３１】
また、絶縁シート４０においては、第２絶縁部４２における一対の短縁部４２ａが、第２絶縁部４２と第２パーツ４５との境界に位置している。第２絶縁部４２における一対の短縁部４２ａ上に延びる直線が、第２絶縁部４２と第２パーツ４５との境界線Ｌ１となっている。境界線Ｌ１は、第１絶縁部４１における四隅から絶縁シート４０の縁部のうちで左右に延びている一対の縁部４０ｅまで延びている。絶縁シート４０においては、一対の第２絶縁部４２のうち、上側に位置する第２絶縁部４２における一対の短縁部４２ａ上に延びる２つの境界線Ｌ１と、下側に位置する第２絶縁部４２における一対の短縁部４２ａ上に延びる２つの境界線Ｌ１と、の合計４つの境界線Ｌ１が位置している。
【００３２】
また、第１絶縁部４１における四隅から絶縁シート４０の縁部のうちで上下に延びている一対の縁部４０ｆまで、長縁部４１ａの延びる方向に延びる直線が、第１パーツ４４と第２パーツ４５との境界線Ｌ２となっている。絶縁シート４０においては、第１絶縁部４１における一対の長縁部４１ａのうち、上側に位置する長縁部４１ａの延びる方向に左右に延びる２つの境界線Ｌ２と、下側に位置する長縁部４１ａの延びる方向に左右に延びる２つの境界線Ｌ２と、の合計４つの境界線Ｌ２が位置している。
【００３３】
ここで、第２パーツ４５において、境界線Ｌ１と境界線Ｌ２との交点Ｐ１である第１絶縁部４１の四隅から延びるとともに、境界線Ｌ１及び境界線Ｌ２に対して４５°をなすように斜めに延びる仮想的な線を仮想線Ｌ３とする。仮想線Ｌ３は、第１絶縁部４１における四隅から絶縁シート４０の縁部４０ｆまで延びている線とする。そして、第２パーツ４５は、境界線Ｌ２、仮想線Ｌ３、及び第２絶縁部４２の短縁部４２ａと対向する絶縁シート４０の縁部４０ｆで囲まれた部分に、第２パーツ４５を切り込んだ切れ込み部４６を有している。切れ込み部４６は、絶縁シート４０における４つ全ての第２パーツ４５に形成されている。
【００３４】
切れ込み部４６は、第２パーツ４５において、絶縁シート４０の縁部４０ｆと仮想線Ｌ３とにわたって延びている。切れ込み部４６は、境界線Ｌ２の延びる方向に左右に延びている。また、切れ込み部４６は、絶縁シート４０の上下方向において、絶縁シート４０の縁部４０ｆと仮想線Ｌ３とが交わる位置と、境界線Ｌ２の位置と、の中間位置よりも境界線Ｌ２に近い位置にある。そして、切れ込み部４６の端部４６ａが仮想線Ｌ３上に位置している。切れ込み部４６の端部４６ａは角張った形状となっている。なお、絶縁シート４０の縁部４０ｆが第４縁部に相当する。また、切れ込み部４６と境界線Ｌ２との間隔を長さＷ１とし、一対の第２パーツ４５の左右方向の長さを長さＷ２とし、第１パーツ４４の上下方向の長さを長さＷ３としたとき、長さＷ１，Ｗ２，Ｗ３は以下の式１に示す関係を満たしている。
【００３５】
Ｗ１＜Ｗ３−Ｗ２…式１
次に、絶縁シート４０の組み立て方法について、二次電池１０及び二次電池１０の製造方法の作用と合わせて説明する。
【００３６】
図１又は図４に示すように、絶縁シート４０は、電極組立体３０の第１端面３０ａ側から包むように電極組立体３０に取り付けられる。詳細には、まず絶縁シート４０は、絶縁シート４０の第１絶縁部４１と電極組立体３０の第１端面３０ａとが重なるように取り付けられる。そして、絶縁シート４０は、第１絶縁部４１の一対の長縁部４１ａに沿って折り曲げられる。これにより、電極組立体３０の積層方向Ｘの両側の第２端面３０ｂが絶縁シート４０の各第２絶縁部４２によって覆われる。
【００３７】
また、絶縁シート４０は、一対の第２絶縁部４２の短縁部４２ａに沿って折り曲げられる。このとき、一対の第２パーツ４５のうちで、第２絶縁部４２の短縁部４２ａと、仮想線Ｌ３と、絶縁シート４０の縁部４０ｅ及び縁部４０ｆとで囲まれた部分である第１余剰部５０（図４参照）同士が電極組立体３０の幅方向Ｙで重なる。さらに、一対の第２パーツ４５のうちで、切れ込み部４６と、仮想線Ｌ３と、絶縁シート４０の縁部４０ｆとで囲まれた部分である第２余剰部５１（図４参照）同士が電極組立体３０の幅方向Ｙで重なる。電極組立体３０の幅方向Ｙの両端部では、第１余剰部５０の一部が互いに重なるとともに、第２余剰部５１の一部が互いに重なる。第１余剰部５０が互いに重なった部分を重なり部５２（図１に一点鎖線で囲んで図示）とする。また、第２余剰部５１は、折りたたまれず第１絶縁部４１の短縁部４１ｂ側に展開したままとなる。そのため、各第２パーツ４５において、第２余剰部５１は、重なり部５２を形成する第１余剰部５０の一部等、ほかの部分と重なることがない。
【００３８】
そして、図４及び図５に示すように、絶縁シート４０は、第１絶縁部４１の短縁部４１ｂに沿って折り曲げられる。このとき、電極組立体３０の幅方向Ｙの両端部において、第１パーツ４４が第２パーツ４５に重なっている。また、第２パーツ４５において、境界線Ｌ２、仮想線Ｌ３、切れ込み部４６、及び絶縁シート４０の縁部４０ｆで囲まれた部分である第３余剰部５３（図４参照）が、電極組立体３０の積層方向Ｘにおける第１パーツ４４の両端部と重なっている。図６に示すように、絶縁シート４０が組み立てられている状態において、第３余剰部５３は、重なり部５２よりも第２絶縁部４２側に位置している。すなわち、電極組立体３０の幅方向Ｙ（図６では紙面に垂直方向）において、第３余剰部５３は重なり部５２には重ならない。
【００３９】
なお、図６に示すように、組立後の絶縁シート４０においては、積層方向Ｘにおける第３余剰部５３の長さが上記長さＷ１になっており、積層方向Ｘにおける各第１余剰部５０の長さが上記長さＷ２になっており、第３絶縁部４３の積層方向Ｘにおける長さが上記長さＷ３になっている。そして、上記式１における「Ｗ３−Ｗ２」は、第３絶縁部４３のうち、積層方向Ｘにおいて重なり部５２と隣接する第１余剰部５０の部分の積層方向Ｘにおける長さに相当する。各長さＷ１，Ｗ２，Ｗ３が上記式１に示す関係を満たすと、積層方向Ｘの長さで比較して、積層方向Ｘにおいて重なり部５２と隣接する第１余剰部５０の部分の長さよりも第３余剰部５３の長さが短くなる。すなわち、第３余剰部５３は、積層方向Ｘにおいて重なり部５２と隣接する第１余剰部５０の部分とは重なるものの、重なり部５２とは重ならない。
【００４０】
こうして絶縁シート４０が組み立てられることにより、電極組立体３０の幅方向Ｙの両端部において、絶縁シート４０が最大で３層となる。この３層は、具体的には、重なり部５２と第１パーツ４４とが重なった部分や、第１余剰部５０における重なり部５２以外の部分と第３余剰部５３と第１パーツ４４とが重なった部分での重なり分である。こうして第１パーツ４４及び第２パーツ４５が位置することにより、電極組立体３０の幅方向Ｙの両側の第３端面３０ｃが第３絶縁部４３によって覆われる。
【００４１】
なお、ケース１１と電極組立体３０との間隙の大きさは、上記の絶縁シート４０の最大重なり分を考慮してあらかじめ設定されている。本実施形態では、そうした最大重なり分が３層であるため、絶縁シート４０の３層分の厚みを考慮して電極組立体３０の第３端面３０ｃとケース本体２０の短側壁２３との間隙が設定されている。
【００４２】
絶縁シート４０が組み立てられた後、電極組立体３０の幅方向Ｙの両端部において、第２パーツ４５のうちで第１パーツ４４が重なっている部分と第１パーツ４４とが溶着によって固定される。これにより、図１に示すように、第１パーツ４４の表面に溶着部５５が形成される。
【００４３】
上記実施形態では以下の効果を得ることができる。
（１−１）切れ込み部４６によって第２パーツ４５を分けることで、従来折り込まれて重なり部５２に重なっていた部分である第２余剰部５１を折りたたまず第１絶縁部４１の短縁部４１ｂ側に展開したままとすることで、絶縁シート４０の重なり数を減らすことができる。第２パーツ４５において、その第２パーツ４５における重なり部５２以外の部分が重なり部５２と重ならないことになる。そのため、絶縁シート４０の最大重なり分が少なくなるだけ電極組立体３０の第３端面３０ｃとケース本体２０の短側壁２３との間隙を小さく設定できる。したがって、その分だけ正極電極３１のサイズや負極電極３５のサイズを大きくすることで、二次電池１０の電池容量を増大できる。
【００４４】
（１−２）一対の第２パーツ４５の双方において、第２パーツ４５における重なり部５２以外の部分が重なり部５２と重ならないことになる。そのため、第３絶縁部４３においては、絶縁シート４０の重なりが最大で３層となる。したがって、一対の第２パーツ４５のうちの一方のみが切れ込み部４６を備える場合と比較して、より絶縁シート４０の最大重なり分を少なくできるため、二次電池１０の電池容量をより増大できる。
【００４５】
（１−３）一対の第３絶縁部４３の双方における一対の第２パーツ４５において、第２パーツ４５における重なり部５２以外の部分が重なり部５２と重ならないことになる。そのため、一対の第３絶縁部４３の双方において、絶縁シート４０の重なりが最大で３層となる。したがって、一対の第３絶縁部４３のうちの一方の第２パーツ４５が切れ込み部４６を備える場合と比較して、より絶縁シート４０の最大重なり分を少なくできるため、二次電池１０の電池容量をより増大できる。
【００４６】
（１−４）組み立てた絶縁シート４０を固定する方法として、例えば、折り曲げられた絶縁シート４０を接着テープで貼り付ける方法が挙げられる。こうした場合では、絶縁シート４０の最大重なり分に加えて、接着テープの厚みも考慮して、ケース１１と電極組立体３０との間隙を設定する必要がある。上記実施形態によれば、溶着によって絶縁シート４０を固定しているため、電極組立体３０の第３端面３０ｃとケース本体２０の短側壁２３との間隙に接着テープの厚みを考慮する必要がなくなり、その分だけ二次電池１０の電池容量を増大できる。
【００４７】
なお、上記実施形態は、以下のように変更して実施することができる。上記実施形態及び以下の変更例は、技術的に矛盾しない範囲で互いに組み合わせて実施することができる。
【００４８】
○  切れ込み部４６の端部４６ａの形状を変更してもよい。例えば、図７に示すように、切れ込み部１４６の端部１４６ａを湾曲した形状としてもよい。また、図８に示すように、切れ込み部２４６の端部２４６ａを円状に切りかかれた形状としてもよい。二次電池１０では、使用に伴う電極組立体３０の膨張収縮等によって絶縁シート４０に切れ込み部が広がるような力が加わるおそれがある。切れ込み部に角がある場合、その角の部分に応力が集中しやすく、角よりも先まで切れ込みが進みやすい。この変形例では、そうした切れ込み部１４６，２４６が広がるような力が加わる状況下でも、端部１４６ａ，２４６ａよりも先まで切れ込みが進みにくくなる。
【００４９】
○  絶縁シート４０において、上記実施形態よりも切れ込み部４６の形成範囲を大きくして、切れ込み部４６の端部４６ａが仮想線Ｌ３と第２絶縁部４２の短縁部４２ａとの間に位置するようにしてもよい。この形態においても、切れ込み部４６の端部４６ａが、図４の左右方向で第２絶縁部４２の短縁部４２ａよりも仮想線Ｌ３側に位置していれば、上記実施形態と同様の効果を得ることができる。
【００５０】
○  切れ込み部４６の延びる方向は、境界線Ｌ２の延びる方向でなくてもよい。例えば、切れ込み部４６は、端部４６ａに近い位置ほど境界線Ｌ２から離れるように斜めに延びていてもよいし、端部４６ａに近い位置ほど境界線Ｌ２に近づくように斜めに延びていてもよい。
【００５１】
○  切れ込み部４６の形成位置を、絶縁シート４０の縁部４０ｆと仮想線Ｌ３とが交わる位置と、境界線Ｌ２の位置と、の中間位置としてもよいし、その中間位置よりも絶縁シート４０の縁部４０ｆと仮想線Ｌ３とが交わる位置に近い位置としてもよい。ただし、切れ込み部４６の形成位置を上記中間位置よりも絶縁シート４０の縁部４０ｆと仮想線Ｌ３とが交わる位置に近い位置とする場合は、絶縁シート４０を組み立てた状態で第３余剰部５３が重なり部５２に重ならない範囲内で、絶縁シート４０の縁部４０ｆと仮想線Ｌ３とが交わる位置に近づけて切れ込み部４６の形成が可能である。この変更例において、上述の式１に示す関係を満たすように切れ込み部４６の形成位置を設定すれば、第３余剰部５３が重なり部５２に重ならないようになる。
【００５２】
○  一対の第３絶縁部４３のうち、一方の第３絶縁部４３のみで切れ込み部４６を形成してもよい。この場合では、切れ込み部４６を有さない第３絶縁部４３について、第１パーツ４４と第２パーツ４５とに区画せず、切れ込み部４６を有する第３絶縁部４３と折り方を変更することも可能である。こうした形態でも、切れ込み部４６を有する第３絶縁部４３においては、絶縁シート４０の重なりが最大で３層となる。
【００５３】
○  一対の第３絶縁部４３のうちの一方の第３絶縁部４３において、一対の第２パーツ４５の一方のみが切れ込み部４６を有していてもよい。この形態では、第３絶縁部４３において、一対の第２パーツ４５の片方に切れ込み部４６が形成されない分、上記実施形態よりも絶縁シート４０の重なりが増え、絶縁シート４０の重なりが最大で４層となる。
【００５４】
○  絶縁シート４０の第３絶縁部４３によって、電極組立体３０の積層方向Ｘの両側の第２端面３０ｂを覆うようにしてもよい。この形態では、絶縁シート４０において、第２絶縁部４２によって電極組立体３０の幅方向Ｙの両側の第３端面３０ｃが覆われるようになる。また、そうした絶縁シート４０によって覆う電極組立体３０の箇所の変更に応じて、絶縁シート４０の第１絶縁部４１、第２絶縁部４２、及び第３絶縁部４３が占める領域が変更される。こうした形態においても、第３絶縁部４３に切れ込み部４６を形成することにより、電極組立体３０の第２端面３０ｂを覆う絶縁シート４０において、最大重なり分が少なくなる。このため、電極組立体３０の第２端面３０ｂとケース本体２０の長側壁２２との間隙を小さく設定でき、上記実施形態と同様の効果を得ることができる。
【００５５】
○  組み立てられた状態の絶縁シート４０を接着テープによって固定させてもよい。
○  正極電極３１や負極電極３５は、金属箔の片面に活物質層が存在する構造でもよい。
【００５６】
○  正極電極３１、負極電極３５、及びセパレータ３９は、楕円状等、矩形状以外の形状であってもよい。
○  正極電極３１、負極電極３５、及びセパレータ３９の大小関係は適宜変更可能である。
【００５７】
○  電極組立体３０は、長尺帯状の正極電極と、長尺帯状の負極電極とを、長尺帯状のセパレータを介して捲回した捲回型であってもよい。
○  蓄電装置は、二次電池でなく、電気二重層キャパシタ等の他の蓄電装置に適用してもよい。
【００５８】
○  二次電池は、リチウムイオン電池であったが、これに限らず、他の二次電池であってもよい。
【符号の説明】
【００５９】
Ｌ１，Ｌ２…境界線、Ｌ３…仮想線、Ｐ１…交点、１０…二次電池、１１…ケース、２０…ケース本体、２１…底壁、２２…長側壁、２３…短側壁、２５…蓋、３０…電極組立体、３０ａ…第１端面、３０ｂ…第２端面、３０ｃ…第３端面、３１…正極電極、３５…負極電極、３９…セパレータ、４０…絶縁シート、４０ｅ，４０ｆ…縁部、４１…第１絶縁部、４１ａ…長縁部、４１ｂ…短縁部、４２…第２絶縁部、４２ａ…短縁部、４３…第３絶縁部、４４…第１パーツ、４５…第２パーツ、４６…切れ込み部、５０…第１余剰部、５１…第２余剰部、５２…重なり部、５３…第３余剰部、５５…溶着部。
【図１】
2020038803.tif 000003
【図２】
2020038803.tif 000004
【図３】
2020038803.tif 000005
【図４】
2020038803.tif 000006
【図５】
2020038803.tif 000007
【図６】
2020038803.tif 000008
【図７】
2020038803.tif 000009
【図８】
2020038803.tif 000010